(57)【要約】【課題】  別途調整工程を設けることなく、複数の回転角検出センサの検出基準点を補正する回転角検出センサの基準点補正方法を提供すること。【解決手段】  操舵軸１１に組み付けられた２個一対のレゾルバ１１ｂ，１１ｃの検出基準点を補正する補正方法を、回転角検出工程、１次補正工程、可動範囲検出工程および２次補正工程で構成した。回転角検出工程は、組み付け直後のレゾルバ１１ｂ，１１ｃからの出力値から操舵軸１１の回転角を検出する工程である。１次補正工程は、回転角の検出基準点を暫定的に補正する工程である。可動範囲検出工程は、１次補正工程で補正された基準点に基づき操舵軸１１の可動範囲を検出する工程である。２次補正工程は、操舵軸１１の回転角０゜とレゾルバ１１ｂ，１１ｃからの信号に基づき検出した回転角との相違量に基づき、検出基準点を最終的に補正する工程である。【選択図】  図３
2006234543.tif 000002
【特許請求の範囲】
【請求項１】
回転軸に複数組み付けられて、同回転軸の回転角をそれぞれ検出する回転角検出センサの検出基準点を補正する回転角検出センサの基準点補正方法であって、
前記複数の回転角検出センサが前記回転軸の回転角を検出する回転角検出工程と、
前記回転角検出工程によって検出した各回転角間の相違量を算出し、同算出した相違量を用いて前記回転角検出センサの検出基準点を暫定的に補正する１次補正工程と、
前記回転軸を回転させて、前記１次補正工程によって補正した暫定的な検出基準点に基づき、前記回転軸の可動範囲を検出する可動範囲検出工程と、
前記回転軸の特定の回転位置に対応する特定回転角と、前記可動範囲検出工程によって検出した前記可動範囲内にて前記回転角検出センサが検出する前記回転軸の特定の回転位置の回転角との相違量を算出し、同算出した相違量を用いて前記回転角検出センサの前記暫定的な検出基準点を最終的に補正する２次補正工程とを備えたことを特徴とする回転角検出センサの基準点補正方法。
【請求項２】
請求項１に記載した回転角検出センサの基準点補正方法において、
前記回転軸は、車両の操舵ハンドルの回転を操舵輪に伝達するための操舵軸であることを特徴とする回転角検出センサの基準点補正方法。
【請求項３】
請求項２に記載した回転角検出センサの基準点補正方法において、
前記回転角検出センサは、
前記操舵軸に含まれるトーションバーの両端位置にそれぞれ組み付けられて、操舵軸およびトーションバーの回転角を検出する２個一対のレゾルバであることを特徴とする回転角検出センサの基準点補正方法。
【発明の詳細な説明】
【技術分野】
【０００１】
本発明は、回転軸、特に、車両に搭載された回転軸の回転角を検出する回転角検出センサの基準点補正方法に関する。
【背景技術】
【０００２】
従来から、例えば、下記特許文献１に示すような、操舵角検出装置は知られている。この操舵角検出装置は、車両の直進状態を検出して操舵中立点を設定し、設定した操舵中立点と操舵角センサの中立位置との差をオフセット値として記憶するようになっている。そして、以降の車両走行時には記憶したオフセット値を用いて操舵中立点を演算により求め、操舵角センサの検出値を校正するようになっている。これにより、常に正確な操舵角を検出するようになっている。
【特許文献１】特開２００１−４３１３号公報
【０００３】
しかしながら、特に車両において操舵角を検出する場合には、複数の操舵角センサすなわち操舵軸の回転角を検出する回転角検出センサが複数設けられ、これらのセンサからの検出回転角を総合して操舵角を検出する。ところで、このように回転角検出センサが複数設けられている場合には、それぞれのセンサからの検出回転角が互いに一致する必要があるため、各回転角検出センサの操舵軸に対する取付角度位置を一致させて組み付けることが重要となる。このため、回転角検出センサを組み付ける作業においては、取付位置角度を調整する工程が別途必要であるとともに、生産効率を高めるために熟練した作業者が組み付け作業を行うことが必要となる。このため、生産コストを低減することが難しい場合がある。
【発明の開示】
【０００４】
本発明は、上述した課題を解決するためになされたものであり、その目的は、別途調整工程を設けることなく、複数の回転角検出センサの検出基準点を補正する回転角検出センサの基準点補正方法を提供することにある。
【０００５】
本発明の特徴は、回転軸に複数組み付けられて、同回転軸の回転角をそれぞれ検出する回転角検出センサの検出基準点を補正する回転角検出センサの基準点補正方法であって、前記複数の回転角検出センサが前記回転軸の回転角を検出する回転角検出工程と、前記回転角検出工程によって検出した各回転角間の相違量を算出し、同算出した相違量を用いて前記回転角検出センサの検出基準点を暫定的に補正する１次補正工程と、前記回転軸を回転させて、前記１次補正工程によって補正した暫定的な検出基準点に基づき、前記回転軸の可動範囲を検出する可動範囲検出工程と、前記回転軸の特定の回転位置に対応する特定回転角と、前記可動範囲検出工程によって検出した前記可動範囲内にて前記回転角検出センサが検出する前記回転軸の特定の回転位置の回転角との相違量を算出し、同算出した相違量を用いて前記回転角検出センサの前記暫定的な検出基準点を最終的に補正する２次補正工程とを備えたことにある。
【０００６】
この場合、前記回転軸は、例えば、車両の操舵ハンドルの回転を操舵輪に伝達するための操舵軸であるとよい。また、前記回転角検出センサは、例えば、前記操舵軸に含まれるトーションバーの両端位置にそれぞれ組み付けられて、操舵軸およびトーションバーの回転角を検出する２個一対のレゾルバであるとよい。
【０００７】
これらによれば、回転軸（例えば、操舵軸）に組み付けられた複数の回転角検出センサ（例えば、２個一対のレゾルバ）は、以下の工程を経ることにより、その検出基準点が一致するように補正される。すなわち、まず、組み付け作業者は、回転軸に対して複数の回転角検出センサを組み付ける。このとき、複数の回転角検出センサの検出基準点は、一致している必要はない。次に、回転角検出工程にて、各回転角検出センサは、現在組み付けられた状態における回転角を検出し、例えば、各回転角検出センサからの出力値を用いて各種制御を実行する制御装置に対して、それぞれ出力する。
【０００８】
制御装置は、回転角検出工程によって前記出力された各回転角を取得すると、１次補正工程にて、各回転角間の相違量を算出して各回転角検出センサの検出基準点を暫定的に補正する。これにより、各回転角検出センサによって検出される回転軸の回転角は、暫定的に一致した値となる。次に、制御装置は、可動範囲検出工程にて、１次補正された暫定的な検出基準点に基づき回転軸の可動範囲を検出する。そして、制御装置は、２次補正工程にて、回転軸の特定の回転位置に対応する特定回転角（例えば、回転軸の絶対的な０゜など）と、各回転角検出センサが検出する回転軸の特定の回転位置の回転角とが一致するように、各回転角検出センサの検出基準点が最終的に補正する。
【０００９】
このように、回転軸に対して、複数の回転角検出センサの取付角度位置が一致していなくても、１次補正工程および２次補正工程を経ることにより、各回転角検出センサの検出基準点を完全に一致させることができる。これにより、これらの回転角検出センサによって検出された回転角を一致させることができる。さらに、一致した回転角を回転軸の絶対的な回転角と一致させることができる。したがって、回転軸に複数の回転角検出センサを組み付ける場合であっても、取付位置角度を調整する工程を別途設ける必要がなく、極めて容易に回転角検出センサを組み付けることができ、製造コストを低減することができる。また、極めて容易に回転角検出センサを組み付けることができるため、熟練した作業者以外の作業者が組み付け作業を行っても、生産効率を大幅に高めることができる。
【発明を実施するための最良の形態】
【００１０】
以下、本発明の実施形態に係る回転角検出センサの基準点補正方法について図面を用いて説明する。図１は、本実施形態に係る基準点補正方法が適用される２つの回転角検出センサを搭載した操舵装置を概略的に示している。
【００１１】
この操舵装置は、操舵ハンドル１０を備えている。操舵ハンドル１０は、回転軸としての操舵軸１１の上端に固着されて、同ハンドル１０の回転は操舵軸１１およびタイロッド１２を介して操舵輪１３ａ，１３ｂに伝達されるようになっている。操舵軸１１とタイロッド１２は図示しないラックアンドピニオンにより連結され、操舵軸１１の回転がタイロッド１２の軸線方向の直線運動に変換される。操舵輪１３ａ，１３ｂは、図示しないナックルアームを介してタイロッド１２の両端にそれぞれ接続されており、タイロッド１２の軸線方向の変位に応じて左右に操舵される。したがって、操舵ハンドル１０が回動されると、操舵輪１３ａ，１３ｂがこの回動に応じて操舵される。
【００１２】
また、操舵軸１１の中間部は、トーションバー１１ａを含んでいる。トーションバー１１ａは、操舵ハンドル１０の回動量と、操舵輪１３ａ，１３ｂの操舵量との差に起因して、捩れを生じるものである。そして、トーションバー１１ａの上端と下端には、回転角検出センサとしての２個一対のレゾルバ１１ｂ，１１ｃが組み付けられている。なお、レゾルバ１１ｂ，１１ｃの詳細な構造に関しては、本発明に直接関係しないので構造に関する説明を省略する。そして、これらのレゾルバ１１ｂ，１１ｃは、電気制御装置２０に接続されている。
【００１３】
電気制御装置２０は、レゾルバ１１ｂ，１１ｃとの協働により、操舵ハンドル１０および操舵軸１１の回転角すなわち操舵角に対応した信号を出力する。また、電気制御装置２０は、トーションバー１１ａの上下端の回転角の差を用いて、操舵ハンドル１０および操舵軸１１に付与される操舵トルクを検出して出力する。この場合、電気制御装置２０は、レゾルバ１１ｂ，１１ｃをそれぞれ励磁するとともに、レゾルバ１１ｂ，１１ｃの備えるロータの回転に伴って変調された信号を入力し、同入力した信号を用いた演算処理によって操舵角、操舵トルクなどを計算する。なお、検出された操舵角および操舵トルクは、車両の各種制御に利用されるものであるが、この制御については本発明に直接関係しないので説明を省略する。
【００１４】
この電気制御装置２０は、図２に示すように、ＣＰＵ２１と、入力インターフェース２２と、出力インターフェース２３と、ＥＥＰＲＯＭ（Electrical Erasable PROM）２４とから構成されている。ＣＰＵ２１は、各種プログラムを実行することにより、操舵角や操舵トルクを計算して出力するとともに、レゾルバ１１ｂ，１１ｃの検出基準点を補正する。入力インターフェース２２は、レゾルバ１１ｂ，１１ｃから出力された信号や、車両に搭載された他の電気制御装置（例えば、ＶＳＣ(Viecle Stability Control)装置など）から出力された信号などを入力するものである。出力インターフェース２３は、レゾルバ１１ｂ，１１ｃに対して励磁信号を出力するとともに、ＣＰＵ２１によって計算された操舵角や操舵トルクを他の電気制御装置に対して出力するものである。ＥＥＰＲＯＭ２４は、車両の図示しないバッテリからの電源の供給を受けない状態においてもデータを記憶・保存する記憶装置である。そして、ＥＥＰＲＯＭ２４は、ＣＰＵ２１から供給されるデータ（例えば、後述する検出基準点補正に関する補正値など）を保持するとともに、ＣＰＵ２１の要求に応じて保持しているデータを供給する。
【００１５】
次に、電気制御装置２０によるレゾルバ１１ｂ，１１ｃの検出基準点の補正について詳細に説明する。一般的に、レゾルバ１１ｂ，１１ｃの操舵軸１１に対する取付角度位置を完全に一致させて組み付けることは製造上極めて難しい。このため、上記のように構成した操舵装置においては、組み付け作業者は、レゾルバ１１ｂ，１１ｃの取付角度位置が略一致するように組み付ける。そして、組み付け作業者は、車両の組み立て後、バッテリを接続し、例えば、図示しないイグニッションスイッチをオン状態とする。これにより、電気制御装置２０のＣＰＵ２１は、図３に示す各工程を実行して、レゾルバ１１ｂ，１１ｃからの信号に基づき回転角を検出するための検出基準点の補正を開始する。
【００１６】
まず、ＣＰＵ２１は、図３に示す回転角検出工程を実行する。すなわち、ＣＰＵ２１は、出力インターフェース２３を介して、レゾルバ１１ｂ，１１ｃを励磁させる。そして、ＣＰＵ２１は、入力インターフェース２２を介して、レゾルバ１１ｂ，１１ｃからそれぞれ出力された信号を取得する。これにより、ＣＰＵ２１は、現在、レゾルバ１１ｂ，１１ｃのそれぞれが検出している操舵軸１１の回転角を検出する。
【００１７】
次に、ＣＰＵ２１は、レゾルバ１１ｂ，１１ｃからの信号に基づいて操舵軸１１の回転角を暫定的に検出するために検出基準点を補正する（以下、この補正を１次補正という）１次補正工程を実行する。以下、この１次補正工程について説明する。
【００１８】
今、レゾルバ１１ｂ，１１ｃは、トーションバー１１ａに対して、それぞれ、取付角度位置が若干異なる状態で組み付けられている。したがって、操舵輪１３ａ，１３ｂがほぼ直進位置すなわち中立位置にあってトーションバー１１ａに捩れが生じていない状態であっても、例えば、レゾルバ１１ｂから出力された信号に基づき検出される回転角が「ｎ°」であり、レゾルバ１１ｃから出力された信号に基づき検出される回転角が「ｍ°」であるように、レゾルバ１１ｂ，１１ｃからそれぞれ出力された信号に基づき検出した回転角が異なっている可能性が高い。このため、ＣＰＵ２１は、レゾルバ１１ｂ，１１ｃからの信号に基づき検出される回転角を互いに一致させ、暫定的にレゾルバ１１ｂ，１１ｃからの信号に基づき回転角が検出できるように１次補正を実行する。
【００１９】
すなわち、上述した例において、ＣＰＵ２１は、操舵輪１３ａ，１３ｂがほぼ中立位置、言い換えれば、操舵軸１１およびトーションバー１１ａがほぼ回転中立位置（例えば、回転角が略０°）にあるときには、レゾルバ１１ｂから出力された信号に基づき回転角を検出するときには検出した回転角から「ｎ」だけ減算し、レゾルバ１１ｃから出力された信号に基づき回転角を検出するときには検出した回転角から「ｍ」だけ減算する。これにより、ＣＰＵ２１は、トーションバー１１ａがほぼ回転中立位置にある状態において、レゾルバ１１ｂ，１１ｃから出力されたそれぞれの信号に基づいて回転角を検出するときには、互いに一致した回転角「０」を検出することができる。したがって、ＣＰＵ２１は、暫定的に操舵軸１１の回転角すなわち操舵角や同回転角の差に基づく操舵トルクを検出して出力することができる。
【００２０】
ここで、ＣＰＵ２１による１次補正を概念的に示せば、レゾルバ１１ｂ，１１ｃから出力される信号に基づき検出される回転角は、１次補正されることによって、図４に示すような座標軸（以下、この座標軸を暫定座標軸という）上の回転角として検出される。具体的に説明すると、レゾルバ１１ｂからの信号に基づき検出される回転角を回転角Ｎとし、レゾルバ１１ｃからの信号に基づき検出される回転角を回転角Ｍとする。このとき、上述したように、トーションバー１１ａのほぼ回転中立位置においては、１次補正前のレゾルバ１１ｂ，１１ｃからの信号に基づき検出される回転角Ｎおよび回転角Ｍは、図４にて破線で示すように、それぞれ、回転角ｎと回転角ｍとして検出される。
【００２１】
このため、トーションバー１１ａのほぼ回転中立位置における回転角を略０°とするためには、回転角Ｎおよび回転角Ｍをそれぞれ「ｎ」および「ｍ」だけ平行移動させて、言い換えれば、図４にて実線で示すように回転角ｎと回転角ｍとがともに原点「Ｏ’」に一致した暫定座標軸を採用することにより、ＣＰＵ２１がレゾルバ１１ｂ，１１ｃからの信号に基づき検出する回転角を１次補正することができる。なお、ＣＰＵ２１は、回転角Ｎおよび回転角Ｍをそれぞれ平行移動する値すなわち相違量としての「ｎ」および「ｍ」を、ＥＥＰＲＯＭ２４の所定記憶位置に記憶している。
【００２２】
ここで、上述の１次補正においては、トーションバー１１ａの回転中立位置を基準とする場合を示した。この場合には、暫定座標軸の原点「Ｏ’」がレゾルバ１１ｂ，１１ｃからの信号に基づき検出可能な検出回転角範囲の１／２の位置と略一致する。
【００２３】
これに対し、例えば、トーションバー１１ａ（すなわち操舵軸１１）が左方向に最大操舵された位置（以下、左最大位置という）、または、右方向に最大転舵された位置（以下、右最大位置という）を基準とすることもできる。この場合には、レゾルバ１１ｂ，１１ｃは、例えば、左最大位置を基準とした場合にはトーションバー１１ａが右方向に操舵されたときに信号を出力し、右最大位置を基準とした場合にはトーションバー１１ａが左方向に操舵されたときに信号を出力する。そして、この場合には、暫定座標軸の原点「Ｏ’」がレゾルバ１１ｂ，１１ｃからの信号に基づき検出可能な検出回転角範囲の原点と略一致する。
【００２４】
次に、ＣＰＵ２１は、１次補正によって暫定的に検出した操舵軸１１の回転角を車両に対する絶対回転角として検出するために検出基準点を最終的に補正する（以下、この補正を２次補正という）２次補正工程を実行する。以下、この２次補正工程について説明する。
【００２５】
ＣＰＵ２１は、２次補正工程を実行するに当たり、まず、操舵軸１１の可動範囲を確認するための可動範囲検出工程を実行する。具体的に説明すると、組み付け作業者は、操舵ハンドル１０を右方向および左方向に停止位置（以下、この停止位置をエンド位置という）するまで、すなわち、機械的に回動できる範囲で操舵ハンドル１０を回転させる。このとき、作業者は、例えば、電気制御装置２０の入力インターフェース２２に接続されて同装置２０の各種設定を行う図示しない端末装置を操作して、ＣＰＵ２１にエンド位置を記憶することを指示する。ＣＰＵ２１は、同指示に従い、例えば、左右のエンド位置をＥＥＰＲＯＭ２４の所定記憶位置に記憶する。これにより、ＣＰＵ２１は、操舵軸１１の可動範囲内における暫定的な回転角を、レゾルバ１１ｂ，１１ｃからの信号に基づき検出するようになる。
【００２６】
次に、ＣＰＵ２１は、２次補正工程を実行する。すなわち、ＣＰＵ２１は、入力インターフェース２２を介して、車両の走行状態を判定して車両の挙動を制御するＶＳＣ装置から出力された車両の直進状態を表す直進状態信号を取得する。ＶＳＣ装置は、車両に搭載された各種センサ（例えば、加速度センサやヨーレートセンサなど）の検出信号に基づいて車両が旋回状態であるか否かを判定し、旋回状態にある車両の挙動を安定化させる装置である。このため、ＶＳＣ装置は、車両の旋回状態、言い換えれば、車両の直進状態を正確に判定する。したがって、ＣＰＵ２１は、ＶＳＣ装置からの直進状態信号を取得し、同取得した直進状態信号を用いてレゾルバ１１ｂ，１１ｃの検出基準点を２次補正する。具体的には、ＣＰＵ２１は、ＶＳＣ装置から取得した直進状態信号すなわち車両の操舵輪１３ａ，１３ｂの操舵角が「０」であることを表す信号と、レゾルバ１１ｂ，１１ｃからの信号に基づき検出した回転角とを比較して相違量を算出することにより、検出基準点を２次補正する。
【００２７】
より具体的に説明すると、車両は、作業者によって操舵ハンドル１０が左右のエンド位置まで回転された後、例えば、自走することにより車両を保管する保管ヤードに移動される。このとき、ＣＰＵ２１は、ＶＳＣ装置から取得する信号のうち、直進状態信号を選択して取得する。このように、直進状態信号を取得した状態においては、車両の操舵輪１３ａ，１３ｂが中立位置にある、言い換えれば、操舵軸１１が中立回転位置にある。さらには、トーションバー１１ａには捩れが発生していない状態である。
【００２８】
一方、ＣＰＵ２１は、ＶＳＣ装置から直進状態信号を取得したときにおける、レゾルバ１１ｂ，１１ｃからの信号に基づき検出した回転角を検出する。この検出した回転角は、暫定座標軸上における回転角であり、現在の車両の走行状態と一致させるためには、同回転角が「０」である必要がある。このため、ＣＰＵ２１は、レゾルバ１１ｂ，１１ｃからの信号に基づき検出したそれぞれ回転角が「０」となるように、言い換えれば、現時点における暫定座標軸の原点「Ｏ’」が「０」となるように、検出したそれぞれの回転角に所定値（相違量）を加算または減算して２次補正する。
【００２９】
すなわち、ＣＰＵ２１は、２次補正工程を実行することによって、図５に示すように、一点鎖線で示した暫定座標軸の原点「Ｏ’」を、相違量だけ平行移動した新たな座標軸（以下、この座標軸を絶対座標軸という）を設定する。そして、ＣＰＵ２１は、加算または減算した相違量をＥＥＰＲＯＭ２４の所定記憶位置に記憶する。この２次補正工程の実行により、ＣＰＵ２１がレゾルバ１１ｂ，１１ｃからの信号に基づき検出した回転角を、車両の走行状態に一致した回転角とすることができる。
【００３０】
ここで、レゾルバ１１ｂ，１１ｃの検出回転角範囲が操舵軸１１の可動範囲よりも十分に大きい場合には、検出した回転角が適切であるか否かを判定することもできる。すなわち、操舵軸１１が１回転以上（例えば、３６０゜、７２０゜など）回転した場合には、操舵軸１１は見かけ上同一回転位置となる。このときの検出した回転角同士を比較することによって、操舵軸１１の回転位置に対して適切な回転角が検出されているか否かを判定することができる。
【００３１】
以上の説明からも理解できるように、上記実施形態によれば、車両の組み付け時において、レゾルバ１１ｂ，１１ｃの取付回転位置、言い換えれば、検出基準点が厳密に一致していなくても、基準点補正工程を実行することにより、検出基準点を厳密に一致させた場合と同様の回転角を検出することができる。したがって、レゾルバ１１ｂ，１１ｃの検出基準点を補正するための特別な構成を設ける必要がなく、操舵装置の構成自体を簡略化することができる。また、レゾルバ１１ｂ，１１ｃの組み付けにおいて、検出基準点を調整のための工程を設ける必要がなく、レゾルバ１１ｂ，１１ｃの組み付けに係る作業を極めて容易とすることができる。また、レゾルバ１１ｂ，１１ｃを極めて容易に組み付けることができるため、熟練した作業者以外の作業者が組み付け作業を行うことができる。したがって、生産コストを低減することができるとともに、車両の生産効率を大幅に向上させることができる。さらに、２次補正によって加算または減算した所定値はＥＥＰＲＯＭ２４の所定記憶位置に記憶されるため、車両の販売後、ユーザが車両を走行させる際には、基準点補正工程を実行しなくても、正確な回転角を検出することができる。
【００３２】
ここで、上記実施形態においては、車両の組み付け時における回転角検出センサとしてのレゾルバ１１ｂ，１１ｃの検出基準点を補正する場合を説明した。しかし、例えば、車両の修理時においても、トーションバー１１ａに組み付けたレゾルバ１１ｂ，１１ｃの検出基準点に対して基準点補正工程を実行することにより、上記実施形態と同様の効果を得ることができる。さらに、車両の走行に伴って、レゾルバ１１ｂ，１１ｃの検出基準点が互いに異なる事態が発生しても、上述した基準点補正工程を実行することにより、検出基準点を一致させることができるため、常に正確な回転角を検出することができる。
【００３３】
さらに、本発明の実施に当たっては、上記実施形態に限定されるものではなく、本発明の目的を逸脱しない限りにおいて種々の変更が可能である。
【００３４】
例えば、上記実施形態においては、車両の操舵装置を構成する操舵軸１１を回転軸として採用し、同操舵軸１１の回転角を検出するレゾルバ１１ｂ，１１ｃの検出基準点を補正すべく基準点補正工程を実行した。しかし、車両に搭載された他の回転軸の回転角を他の回転角検出センサを用いて検出する場合に適用することも可能である。この場合においても、回転角検出センサに対して、基準点補正工程を実行することによって、回転角検出センサの取付角度位置の差異によらず正確に回転角を検出することができる。
【図面の簡単な説明】
【００３５】
【図１】本発明の実施形態に係る基準点補正方法を適用した２個一対のレゾルバを備えた車両の操舵装置の概略図である。
【図２】図１の電気制御装置の構成を説明するためのブロック図である。
【図３】本発明の実施形態に係る基準点補正方法の各工程を説明するためのフローチャートである。
【図４】１次補正によって決定される暫定座標軸を説明するための図である。
【図５】２次補正によって決定される絶対座標軸を説明するための図である。
【符号の説明】
【００３６】
１０…操舵ハンドル、１１…操舵軸、１１ａ…トーションバー、１１ｂ，１１ｃ…レゾルバ、１２…タイロッド、１３ａ，１３ｂ…操舵輪、２０…電気制御装置、２１…ＣＰＵ、２２…入力インターフェース、２３…出力インターフェース、２４…ＥＥＰＲＯＭ
【図１】
2006234543.tif 000003
【図２】
2006234543.tif 000004
【図３】
2006234543.tif 000005
【図４】
2006234543.tif 000006
【図５】
2006234543.tif 000007